(57)【要約】【課題】複数の描画システムを備えた遠隔操作装置において、従来の装置と差異のない操作感を有する遠隔操作装置を提供する。【解決手段】リモコン３０において、使用者の選択位置の移動操作に応じて、選択スイッチが表示された画像中の操作位置を指示する操作位置指令を出力するとともに、選択スイッチの選択操作を行うための選択スイッチ選択指令を出力し、制御部１８では、表示装置２２の画像上に複数の選択スイッチを画像として表示させるとともに、複数の選択スイッチに対応して画像を複数の領域に分割し、リモコン３０から入力される操作位置指令の画像中の操作位置が、分割した複数の領域のうち何れかに存在する場合に、当該領域に対応する選択スイッチを選択可能状態として表示させ、その状態で、選択スイッチ選択指令が入力された場合に、選択可能状態とした選択スイッチが選択されたと認識し、操作指令を出力する。【選択図】図１
2009151664.tif 000002
【特許請求の範囲】
【請求項１】
選択されることにより機器の操作を行うための複数の選択スイッチ画像が表示される表示手段と、
使用者の選択位置の移動操作に応じて、前記選択スイッチが表示された前記表示手段の画像中の操作位置を指示する操作位置指令を出力するとともに、前記選択スイッチの選択操作を行うための選択スイッチ選択指令を出力する遠隔操作手段と、
前記遠隔操作手段からの前記操作位置指令及び前記選択スイッチ選択指令を入力するための入力手段と、
前記入力手段を介して入力された前記操作指令及び前記選択スイッチ選択指令に基づいて、前記機器に対して機器操作指令を出力する制御手段と、
を備え、
前記制御手段は、
前記表示手段の画像上に前記複数の選択スイッチを画像として表示させるとともに、前記表示手段の画像を前記複数の選択スイッチに対応して複数の領域に分割し、
前記入力手段を介して前記操作位置指令を取得し、取得した前記操作位置指令の前記画像中の操作位置が、前記分割した複数の領域のうち何れかの領域に存在する場合に、当該領域に対応する前記選択スイッチを選択可能状態として表示させ、
その状態で、前記選択スイッチ選択指令が前記入力手段を介して入力された場合に、前記選択可能状態とした前記選択スイッチが選択されたと認識し、前記機器に対して機器操作指令を出力することを特徴とする遠隔操作装置。
【請求項２】
請求項１に記載の遠隔操作装置において、
前記遠隔操作手段は、
前記使用者の選択位置の移動操作に応じて、前記操作位置指令が出力する前記選択スイッチが表示された画像中の操作位置の移動速度を変化させ、
前記制御手段は、
前記入力手段を介して入力される前記遠隔操作装置からの移動操作入力に応じて、前記分割された画像上の領域に前記操作位置を移動させる速度を変化させることを特徴とする遠隔操作装置。
【請求項３】
請求項１又は請求項２に記載の遠隔操作装置において、
前記制御手段は、
前記分割された画像の面積を、前記画像上に表示される前記選択スイッチの重要度又は前記選択スイッチの頻度に応じて異なる大きさとすることを特徴とする遠隔操作装置。
【発明の詳細な説明】
【技術分野】
【０００１】
本発明は、画像に表示されたスイッチを画像上で選択等して操作することにより各種装置を遠隔操作するための遠隔操作装置に関する。
【背景技術】
【０００２】
従来、ナビゲーションシステムでは、リモコン等により遠隔操作できるものがある。また、遠隔での操作方法として、操作ノブの位置に応じて画像にポインタを表示し、そのポインタで画像内の操作を行う方法も存在する。このような遠隔操作方法を用いることでタッチシステムのナビゲーションと遠隔操作用のソフトウエアの共通化が可能となり、開発効率の低減につながっている（例えば、特許文献１参照）。
【特許文献１】特開２００４−２５２７６０号公報
【発明の開示】
【発明が解決しようとする課題】
【０００３】
従来のナビゲーションシステムでは、ナビゲーション画像を表示するとともに車両に取り付けたカメラで取得した車両外部の画像を表示するというように、描画システムが複数存在するものがある。ところが、既存のタッチシステムのナビゲーションをベースに遠隔システムを開発する場合、複数の描画システムを有する装置では、ポインタを新たなレイヤに表示する必要があるが、必ずしも新たなレイヤを表示することができるとは限らない。つまり、新たなレイヤを表示することができない描画システムがでてくる可能性がある。
【０００４】
その場合、画面上にポインタを表示することができないため、使用者は、ポインタが画面上に表示されない状態で、画面上の操作を行う必要がある。したがって、使用者にとって非常に操作性の悪いシステムとなってしまう。
【０００５】
本発明は、こうした問題に鑑みなされたもので、複数の描画システムを備えた遠隔操作装置において、従来の装置と差異のない操作感を有する遠隔操作装置を提供する。
【課題を解決するための手段】
【０００６】
かかる問題を解決するためになされた請求項１に記載の遠隔操作装置（５：この欄においては、発明に対する理解を容易にするため、必要に応じて「発明を実施するための最良の形態」欄において用いた符号を付すが、この符号によって請求の範囲を限定することを意味するものではない。）は、表示手段（２２）、遠隔操作手段（３０）、入力手段（２３）及び制御手段（１８）を備えている。
【０００７】
表示手段（２２）は、選択されることにより機器の操作を行うための複数の選択スイッチ画像が表示され、遠隔操作手段（３０）は、使用者の選択位置の移動操作に応じて、選択スイッチが表示された表示手段（２２）の画像中の操作位置を指示する操作位置指令を出力するとともに、選択スイッチの選択操作を行うための選択スイッチ選択指令を出力する。
【０００８】
入力手段（２３）は、遠隔操作手段（３０）からの操作位置指令及び選択スイッチ選択指令を入力し、制御手段（１８）は、入力手段（２３）を介して入力された操作指令及び選択スイッチ選択指令に基づいて、機器に対して機器操作指令を出力する。
【０００９】
制御手段（１８）は、表示手段（２２）の画像上に複数の選択スイッチを画像として表示させるとともに、表示手段（２２）の画像を複数の選択スイッチに対応して複数の領域に分割し、入力手段（２３）を介して操作位置指令を取得し、取得した操作位置指令の画像中の操作位置が、分割した複数の領域のうち何れかの領域に存在する場合に、当該領域に対応する選択スイッチを選択可能状態として表示させ、その状態で、選択スイッチ選択指令が入力手段（２３）を介して入力された場合に、選択可能状態とした選択スイッチが選択されたと認識し、機器に対して機器操作指令を出力する。
【００１０】
このような遠隔操作装置（５）では、使用者が機器の操作を行う場合、表示手段（２２）に表示された複数の選択スイッチの選択操作を行う際に、画像上どの位置を操作しているかを示すポインタが表示されなくとも選択スイッチの選択操作を容易に行うことができる。以下説明する。
【００１１】
従来の遠隔操作装置（５）では、前述のように画像上に選択スイッチが複数表示され、それを選択する場合、現在画像上のどの位置を操作している化を示すポインタを表示し、そのポインタと選択スイッチとが重なった状態で選択操作（例えば、クリックなど）が行われると、そのスイッチが選択される（図３（ａ）参照）。
【００１２】
ところが、前述の理由等により、このポインタを表示できない場合、使用者は、画像上のどの位置を操作しているのかが分からないので、選択スイッチを選択することが困難となる。
【００１３】
これに対し、請求項１の遠隔操作装置（５）では、表示される複数の選択スイッチに対応して、表示手段（２２）の画像が複数の領域に分割され、遠隔操作手段（３０）から入力される操作位置指令の画像中の操作位置が何れかの領域に存在する場合、その領域に対応する選択スイッチが選択可能状態として表示される。
【００１４】
したがって、ポインタの表示をしなくとも、複数の選択スイッチのうち何れかの選択スイッチが選択可能状態になっていることが表示される。つまり、ポインタが表示されなくとも使用者は、いずれの選択スイッチが選択可能状態になっているが分かる。
【００１５】
そして、その状態で選択スイッチ選択指令が入力されれば、選択可能状態になっている選択スイッチが選択される。
一方、いずれかの選択スイッチが選択可能状態になっているときに、使用者がさらに、移動操作を行った場合には操作位置が移動し、操作位置が他の領域に入った場合には、その領域に対応する他の選択スイッチが選択可能状態として表示される。
【００１６】
このように、複数の選択スイッチが表示されている画像を各選択スイッチに対応させて分割し、その領域に操作位置が存在するときに、その領域に対応付けられた選択スイッチを選択可能状態として表示することで、ポインタが表示できない場合であっても、使用者は容易に選択スイッチを選択できるようになる。
【００１７】
ここで、「移動操作に応じて」とは、例えば、移動操作の操作速度や操作回数など、使用者の操作内容に応じてという意味である。
ところで、ポインタが表示される従来の遠隔操作装置（５）では、使用者は選択スイッチを選択する際、ポインタの移動位置を見ながら、移動操作を行ってポインタを選択スイッチに重ねようとする。
【００１８】
ところが、請求項２に記載の遠隔操作装置（５）のように、遠隔操作手段（３０）は、使用者の選択位置の移動操作に応じて、操作位置指令が出力する選択スイッチが表示された画像中の操作位置の移動速度を変化させ、制御手段（１８）は、入力手段（２３）を介して入力される遠隔操作装置（５）からの移動操作入力に応じて、分割された画像上の領域に操作位置を移動させる速度を変化させるようにすると、使用者の操作に応じて選択スイッチの選択操作を行うことができる。
【００１９】
例えば、ジョイスティックを傾け続けた状態で操作位置を移動させた場合には、時間をかけて操作位置を移動させる。また、ジョイスティックを素早く一瞬移動方向へ傾け、すぐに中立位置に戻した場合には、操作位置を移動方向の領域に瞬時に移動させるようなことが可能になる。
【００２０】
つまり、使用者の操作に応じて、操作位置をゆっくり移動させたり、瞬時に領域を移動させたりすることができるので、選択スイッチを素早く選択したり、ゆっくり選択したりすることができる。
【００２１】
ところで、複数の選択スイッチには、その重要度が高いものや低いものがあり、また、選択頻度が高いものや低いものがある。したがって、重要度が高いものや選択頻度が高いものを使用者が容易に選択できると都合がよい。
【００２２】
そこで、請求項３に記載のように、制御手段（１８）は、分割された画像の面積を、画像上に表示される選択スイッチの重要度又は選択スイッチの頻度に応じて異なる大きさとするとよい。
【００２３】
このようすると、例えば、重要度が高い選択スイッチや選択頻度が高い選択スイッチに対応する領域の面積が大きくなるように画像を分割すれば、その部分に操作位置が速く入ることになるので、使用者が選択しやすくなる。
【発明を実施するための最良の形態】
【００２４】
以下、本発明が適用された実施形態について図面を用いて説明する。なお、本発明の実施の形態は、下記の実施形態に何ら限定されることはなく、本発明の技術的範囲に属する限り種々の形態を採りうる。
【００２５】
図１は、本発明が適用されたカーナビゲーション装置１の概略の構成を示すブロック図である。
カーナビゲーション装置１は、位置検出器１１、地図データ入力器１６、操作スイッチ群１７、外部メモリ１９、音声出力装置２０、車載カメラ２１及び遠隔操作部５を備えている。
【００２６】
位置検出器１１は、いずれも周知の地磁気センサ１２、ジャイロスコープ１３，距離センサ１４及びＧＰＳ受信機１５を有している。これらのセンサ等１２，１３，１４，１５は各々が性質の異なる誤差を持っているため、複数のセンサにより各々補間しながら車両の位置を検出できるように構成されている。なお、精度によっては前述したセンサのうちの一部で構成してもよく、さらにステアリングの回転センサ、各転動輪の車輪センサを用いてもよい。
【００２７】
地図データ入力器１６は、位置検出の精度向上のため、いわゆるマップマッチング用データ、地図データ及び目印データを含む各種データを入力するための装置である。媒体としては、そのデータ量からＣＤ−ＲＯＭやＤＶＤを用いるのが一般的であるが、メモリカード、ＨＤＤ装置等の媒体を用いてもよい。
【００２８】
操作スイッチ群１７は、運転者などの使用者が、カーナビゲーション装置１を操作するためのスイッチ類であり、例えば、表示装置２２と一体となったタッチスイッチ若しくはメカニカルスイッチ等が用いられる。
【００２９】
外部メモリ１９は、ＨＤＤ装置やメモリスティックなどであり、音声出力装置２０から出力される音声データやカーナビゲーション装置１の各種設定に用いる運転者の個人情報など種々のデータが記憶されている。
【００３０】
音声出力装置２０は、図示しないスピーカ、オーディオアンプなどから構成される。出力する音声は、外部メモリ１９に記憶されているデータ、又は、制御部１８により合成されたものである。
【００３１】
また、音声出力装置２０は、カーナビゲーション装置１の構成装置としては省略することもできる。その場合、例えば、車両本体のオーディオ機器など他の装置が備えている音声出力装置を利用してもよい。
【００３２】
車載カメラ２１は、車両に取り付けられたカメラであり、車両が走行中の道路の画像や車両周辺の画像を取得することができるものであり、小型のＣＣＤカメラなどが用いられている。
【００３３】
遠隔操作部５は、表示装置２２、リモコンセンサ２３、リモートコントローラ３０（以下、リモコン３０と呼ぶ。）及び制御部１８を備えている。
表示装置２２は、選択されることにより機器の操作を行うための複数の選択スイッチ画像が表示されるものであり、ＬＣＤや有機ＥＬディスプレイなどから構成され、カラー表示が可能である。
【００３４】
また、表示装置２２の画像には位置検出器１１から入力された車両現在位置マーク、地図データ入力器１６から入力された地図データ及び地図上に表示する誘導経路等の付加データを重ねて表示することができる。
【００３５】
リモコンセンサ２３は、リモコン３０から送信される操作位置指令及び選択スイッチ選択指令の赤外線信号を入力する。
リモコン３０は、表示装置２２に表示される選択スイッチを使用者の選択位置の移動操作及び選択スイッチの選択操作により選択するためのものであり、使用者の選択位置の移動操作に応じて、操作位置指令が出力する選択スイッチが表示された画像中の操作位置の移動速度を変化させることができるように構成されている。
【００３６】
さらに、リモコン３０は、使用者の選択位置の移動操作に応じて、選択スイッチが表示された画像中の操作位置を指示する操作位置指令を出力するとともに、選択スイッチの選択操作を行うための選択スイッチ選択指令を出力する。
【００３７】
具体的には、リモコン３０は、中央部に、選択スイッチを選択するための選択ボタン３１を有し、選択ボタン３１の上下左右に操作位置を入力するための操作位置ボタン３２が配置されている。
【００３８】
選択ボタン３１が押された場合に、選択スイッチ選択指令を出力し、操作位置ボタン３２が押された場合、操作位置指令を出力する。つまり、上操作位置ボタン３２が押された場合、上操作位置ボタン３２が押されている間、操作位置を現在位置から上方向へ微増させ、操作位置指令として出力する。また、上操作位置ボタン３２が続けて２回押された場合には、上方向の最上部の位置を操作位置指令として出力する。下、左、右方向に対しても同様である。
【００３９】
なお、操作位置指令及び選択スイッチ選択指令は、赤外線信号に変換されてリモコンセンサ２３へ送信される。
制御部１８は、通常のコンピュータとして構成されており、内部には図示しないＣＰＵ、ＲＯＭ、ＲＡＭ、Ｉ／Ｏ及びこれらを接続するバスラインなどにより構成されている。
【００４０】
制御部１８は、操作スイッチ群１７あるいはリモコンセンサ２３を介してリモコン３０から目的地が入力されると、現在位置からその目的地までの最適な経路を自動的に選択して誘導経路を算出し、表示装置２２に表示する、いわゆる経路案内機能を備えている。
【００４１】
このような自動的に最適経路を算出する手法としては、ダイクストラ法等の公知の方法が用いられている。
また、制御部１８は、経路案内機能を実行する以外に、リモコンセンサ２３を介して入力された操作指令及び選択スイッチ選択指令に基づいて、機器の操作出力を行う。具体的には、以下の（ア）〜（オ）に示す選択処理を実行する。
【００４２】
（ア）表示装置２２の画像上に複数の選択スイッチを画像として表示させる。
（イ）表示装置２２の画像を複数の選択スイッチに対応して複数の領域に分割する。この際、分割された画像の面積を、画像上に表示される選択スイッチの重要度又は選択スイッチの頻度に応じて異なる大きさとする。
【００４３】
（ウ）リモコンセンサ２３を介して操作位置指令を取得し、取得した操作位置指令の画像中の操作位置が、分割した複数の領域のうち何れかの領域に存在する場合に、当該領域に対応する選択スイッチを選択可能状態として表示させる。
【００４４】
（エ）リモコンセンサ２３を介して入力されるリモコン３０からの移動操作入力に応じて、分割された画像上の領域に操作位置を移動させる速度を変化させる。
（オ）選択スイッチが選択可能状態で、選択スイッチ選択指令がリモコンセンサ２３を介して入力された場合に、選択可能状態とした選択スイッチが選択されたと認識し、機器に対して機器操作指令を出力する。
【００４５】
（制御部１８における選択制御処理）
次に、図２に基づいて制御部１８において実行される選択制御処理について説明する。図２は選択制御処理の流れを示すフローチャートである。選択制御処理では、Ｓ１００において表示装置２２に表示させる画像上に複数の選択スイッチが表示される。
【００４６】
選択スイッチの表示例を図３（ｂ）に示す。本実施形態では、図３（ｂ）に示すように４個の選択スイッチＳＷ１，ＳＷ２，ＳＷ３，ＳＷ４が画像の四隅に表示される。なお、図３（ｂ）中に破線で示される○印は、画面上に表示されない現在の操作位置を示している。
【００４７】
続くＳ１０５では、表示装置２２に表示される画像を、Ｓ１００において表示される選択スイッチＳＷ１〜ＳＷ４に対応した領域に分割する。図３（ｂ）に示すように選択スイッチＳＷ１に対応した領域が一番大きく、選択スイッチＳＷ４に対応した領域が一番小さくなるように、画像が縦横に４分割されている。
【００４８】
続くＳ１１０では、リモコンセンサ２３から操作位置指令が取得され、続くＳ１１５では、Ｓ１１０において取得された操作位置指令から、その操作位置が、Ｓ１０５において分割した領域のうちどの領域に存在しているのかが特定される。
【００４９】
続くＳ１２０では、Ｓ１１５で操作位置が存在すると特定された領域にある選択スイッチを選択可能状態である旨が表示される。例えば、図３（ｂ）に示すように、操作位置が選択スイッチＳＷ１が存在する領域にあると特定された場合には、選択スイッチＳＷ１の表示色が変化されたり（例えば、緑色表示が赤色表示とされる。図３（ｂ）参照）、点滅表示されたりする。
【００５０】
続くＳ１２５では、リモコンセンサ２３から選択操作指令が取得され、続くＳ１３０では、Ｓ１２５において取得された選択操作指令が取得されたか否かが判定される。そして、選択操作指令が取得されたと判定された場合（Ｓ１３０：Ｙｅｓ）、処理がＳ１３５へ移行され、選択操作指令が取得されなかったと判定されなかった場合（Ｓ１３０：Ｎｏ）、処理がＳ１２５へ戻され、選択操作指令が取得されたか否かが判定される処理が繰り返される。
【００５１】
Ｓ１３５では、Ｓ１２０において選択可能状態である旨が表示された選択スイッチ（図３では、選択スイッチＳＷ１）が、選択されたと認識され、その選択スイッチに応じた操作指令が出力される。
【００５２】
例えば、選択スイッチＳＷ１が選択された場合に、表示装置２２に車載カメラ２１から取得したカメラ画像を表示するように切り替えるという機能が割り当てられていた場合には、表示装置２２の表示をカメラ画像に切り替える旨の指令が出力される。
【００５３】
Ｓ１３５が終了した後、処理がＳ１００へ戻され、選択制御処理が繰り返される。
（カーナビゲーション装置１の特徴）
以上のカーナビゲーション装置１では、表示装置２２に表示される画像が、複数の選択スイッチに対応して複数の領域に分割され、リモコン３０から入力される操作位置指令の画像中の操作位置が何れかの領域に存在する場合、その領域に対応する選択スイッチが選択可能状態として表示される。
【００５４】
つまり、ポインタの表示をしなくとも、複数の選択スイッチのうち何れかの選択スイッチが選択可能状態になっていることが表示される。つまり、ポインタが表示されなくとも使用者は、いずれの選択スイッチが選択可能状態になっているが分かる。
【００５５】
そして、その状態で選択スイッチ選択指令が入力されれば、選択可能状態になっている選択スイッチが選択される。
一方、いずれかの選択スイッチが選択可能状態になっているときに、使用者がさらに、移動操作を行った場合には操作位置が移動し、操作位置が他の領域に入った場合には、その領域に対応する他の選択スイッチが選択可能状態として表示される。
【００５６】
このように、複数の選択スイッチが表示されている画像を各選択スイッチに対応させて分割し、その領域に操作位置が存在するときに、その領域に対応付けられた選択スイッチを選択可能状態として表示することで、ポインタが表示できない場合であっても、使用者は容易に選択スイッチを選択できるようになる。
【００５７】
また、リモコン３０は、使用者の選択位置の移動操作に応じて、操作位置指令が出力する選択スイッチが表示された画像中の操作位置の移動速度を変化させている。また、制御部１８は、リモコンセンサ２３を介して入力されるリモコン３０からの移動操作入力に応じて、分割された画像上の領域に操作位置を移動させる速度を変化させている。したがって、使用者の操作に応じて選択スイッチの選択操作を行うことができる。
【００５８】
つまり、使用者の操作に応じて、操作位置をゆっくり移動させたり、瞬時に領域を移動させたりすることができるので、選択スイッチを素早く選択したり、ゆっくり選択したりすることができるのである。
【００５９】
また、分割された画像の面積を、画像上に表示される選択スイッチの重要度又は選択スイッチの頻度に応じて異なる大きさとしている。したがって、その部分に操作位置が速く入ることになるので、使用者が所望の選択スイッチを素早く選択することができる。
【００６０】
以上、本発明の実施形態について説明したが、本発明は、本実施形態に限定されるものではなく、種々の態様を採ることができる。
（１）上記実施形態では、操作位置指令及び選択スイッチ選択指令を赤外線信号に変換して出力したが、電波信号に変換して出力してもよい。
【００６１】
（２）上記実施形態では、リモコン３０の操作のために、選択ボタン３１と選択ボタン３１の上下左右配置された操作位置ボタン３２を用いたが、操作位置ボタン３２の代わりにジョイスティックを用いてもよい。
【００６２】
そして、ジョイスティックの傾きの大きさに応じて操作位置を増加させる割合を変化させるようにしてもよい。このようにすれば、ジョイスティックを傾け続けた状態で操作位置を移動させた場合には、時間をかけて操作位置を移動させる。また、ジョイスティックを素早く一瞬移動方向へ傾け、すぐに中立位置に戻した場合には、操作位置を移動方向の領域に瞬時に移動させるようなことが可能になる。
【００６３】
（３）上記実施形態では、遠隔操作部５によってカーナビゲーション装置１を遠隔操作するように構成したが、カーナビゲーション装置１の代わりに他の装置を遠隔操作するようにしてもよい。例えば、オーディオ機器、運転支援装置などである。
【図面の簡単な説明】
【００６４】
【図１】カーナビゲーション装置１の概略の構成を示すブロック図である。
【図２】選択制御処理の流れを示すフローチャートである。
【図３】選択スイッチの表示例を示す図である。
【符号の説明】
【００６５】
１…カーナビゲーション装置、５…遠隔操作部、８…制御部、１１…位置検出器、１２…地磁気センサ、１３…ジャイロスコープ、１４…距離センサ、１５…ＧＰＳ受信機、１６…地図データ入力器、１７…操作スイッチ群、１８…制御部、１９…外部メモリ、２０…音声出力装置、２１…車載カメラ、２２…表示装置、２３…リモコンセンサ、３０…リモートコントローラ（リモコン）、３１…選択ボタン、３２…操作位置ボタン。
【図１】
2009151664.tif 000003
【図２】
2009151664.tif 000004
【図３】
2009151664.tif 000005